(57)【要約】【課題】高解像度の画像データを生成する機能を追加した場合であっても、既存の機能に影響を与えることなく、高解像度の画像データに基づく画像を記録する画像読取記録装置を提供する。【解決手段】操作部１８からの設定により、ソート印刷機能の実行及び記録紙に記録すべき画像の解像度を設定され、２４００ｄｐｉの解像度の画像の記録が設定された場合には、ソート印刷機能の実行を禁止し、２４００ｄｐｉの解像度の画像をソート印刷するように設定された場合には、表示部１７にソート印刷機能の実行ができないことを表示することにより、ユーザに報知する。【選択図】        図１
2004158998.tif 000002
【特許請求の範囲】
【請求項１】
画像を読み取り、画像データを取得する読取手段と、該読取手段により取得された画像データを、記録用データに変換する変換手段と、該変換手段により変換された記録用データに基づく画像を記録シートに記録する記録手段とを備える画像読取記録装置において、
前記変換手段は、前記読取手段により取得された画像データから複数種類の解像度の画像データを生成する生成手段を備え、該生成手段により生成された画像データを、記録用データに変換すべくなしてあることを特徴とする画像読取記録装置。
【請求項２】
前記読取手段は、複数の画像を読み取るべくなしており、
前記変換手段は、前記読取手段により取得された複数の画像データを順次記録用データに変換すべくなしており、
前記複数種類の解像度のうちの一つの解像度を設定する設定手段と、
該設定手段により設定された解像度に基づき、前記変換手段により変換された複数の記録用データを前記記録手段へ送出する送出順序が固定の第１送出順序又は前記送出順序が可変の第２送出順序を決定する決定手段とを備えることを特徴とする請求項１に記載の画像読取記録装置。
【請求項３】
前記決定手段により第２送出順序が決定された場合、前記変換手段により変換された記録用データを符号化する符号化手段と、
該符号化手段により符号化された記録用データを記憶する記憶手段と、
該記憶手段に記憶してある記録用データを復号する復号手段とを備えることを特徴とする請求項２に記載の画像読取記録装置。
【発明の詳細な説明】
【０００１】
【発明の属する技術分野】
本発明は、画像を読み取り、取得した画像データを記録用データに変換し、該記録用データに基づく画像を記録シートに記録する画像読取記録装置に関するものである。
【０００２】
【従来の技術】
近年、ファクシミリ装置にプリンタ機能を搭載した複合機が普及しており、このような装置において、プリンタ機能の拡張に伴い、カラー複写機能及びカラーファクシミリ通信機能等も搭載されつつある。
【０００３】
このような装置は、ＡＤＦ（Ａｕｔｏｍａｔｉｃ  Ｄｏｃｕｍｅｎｔ  Ｆｅｅｄｅｒ）  方式のスキャナを備えることにより、所定の載置台に原稿束をセットし、１枚ずつ原稿を分離して取り込みながら読み取り、記録紙又はＯＨＰ（Ｏｖｅｒ  Ｈｅａｄ  Ｐｒｏｊｅｃｔｏｒ）  シート等の記録シートに記録すべくメモリに記憶させる。
また、上述のように原稿画像から得られた画像データを、メモリから読み出し、順次記録シートに記録する動作を、指定された部数回繰り返すことにより、複数部の原稿画像に複写するソート印刷機能を実現する装置もある。このような装置を用いることにより、読み取り対象である原稿束の各原稿画像の順序と同じ順序に並べられた複写画像を生成することができ、印刷された記録シートを所望の順序に並べ替える必要がない（例えば、特許文献１参照）。
【０００４】
上述したソート印刷機能は、複数枚の原稿画像から取得した複数枚分の画像データの全てを一旦メモリに記憶させ、このメモリから所定の順序、例えば、取得した画像データの順序又は、その逆の順序にて、１枚分の画像データを順次読み出して記録シートに記録することにより実現している。
また、複数枚分の画像データを一時にメモリに記憶させるため、メモリからの画像データのオーバフローを防止すべく、ソート印刷機能を実行させる場合には、メモリに記憶させる画像データを符号化して圧縮することにより、データ量を削減している。
【０００５】
【特許文献１】
特開２００２−４４４５２号公報
【０００６】
【発明が解決しようとする課題】
ところで、上述した装置においては、記録シートに記録する際の画像の高解像度化が進んでおり、例えば、６００ｄｐｉの解像度で読み取った画像データから、２４００ｄｐｉの解像度の画像データを生成し、生成した２４００ｄｐｉの画像データに基づく画像を記録シートに記録するように、解像度を変更する構成を備える装置がある。
このような装置において、上述のようなソート印刷機能を実行するために、高解像度に変更された画像データについても、符号化して一旦メモリに記憶させておき、メモリから所定の順序にて、１枚分の画像データを順次読み出して復号し、復号された画像データに基づく画像を順次記録する構成とした場合、高解像度に変更されることにより増大したデータ量の画像データを復号するために多くの時間がかかってしまい、復号された画像データに基づく画像を記録シートに記録していく速度に間に合わないという問題がある。
【０００７】
本発明は斯かる事情に鑑みてなされたものであり、画像を読み取り取得した画像データから、複数種類の解像度の画像データを生成し、生成した画像データを記録用データに変換することにより、取得した画像データから、異なる複数種類の解像度の画像データを生成し、また、取得した画像データの解像度とは異なる解像度の画像データを生成すると共に、生成された画像データを記録用データに変換する画像読取記録装置を提供することを目的とする。
【０００８】
本発明の他の目的は、複数の画像を読み取り、取得した複数の画像データを順次記録用データに変換し、設定された解像度に基づき、変換された記録用データを、記録シートに記録する送出順序が固定である第１送出順序又は可変である第２送出順序に決定し、決定された送出順序にて、前記記録用データに基づく画像を記録シートに記録することにより、記録シートに記録する画像の解像度を変更すべく設定された解像度に基づき、記録される画像データの順序を変更する画像読取記録装置を提供することにある。
【０００９】
本発明の更に他の目的は、記録用データに変換された画像データを符号化し、符号化された記録用データを記憶手段に一旦記憶しておき、また、予め記憶してある記録用データを復号することにより、所定の第２送出順序にて記録シートに記録される画像データを符号化して圧縮することができ、記録用データのデータ容量を削減する画像読取記録装置を提供することにある。
【００１０】
【課題を解決するための手段】
第１発明に係る画像読取記録装置は、画像を読み取り、画像データを取得する読取手段と、該読取手段により取得された画像データを、記録用データに変換する変換手段と、該変換手段により変換された記録用データに基づく画像を記録シートに記録する記録手段とを備える画像読取記録装置において、前記変換手段は、前記読取手段により取得された画像データから複数種類の解像度の画像データを生成する生成手段を備え、該生成手段により生成された画像データを、記録用データに変換すべくなしてあることを特徴とする。
【００１１】
第１発明による場合は、読取手段が画像を読み取り取得した画像データから、変換手段が、複数種類の解像度の画像データを生成し、更に、生成した画像データを記録用データに変換し、記録手段が、変換された記録用データに基づく画像を記録シートに記録することにより、取得した画像データから、異なる複数種類の解像度の画像データを生成することができる。また、取得した画像データの解像度とは異なる解像度の画像データを生成すると共に、生成された画像データを記録用データに変換することができる。
【００１２】
第２発明に係る画像読取記録装置は、第１発明に係る画像読取記録装置において、前記読取手段は、複数の画像を読み取るべくなしており、前記変換手段は、前記読取手段により取得された複数の画像データを順次記録用データに変換すべくなしており、前記複数種類の解像度のうちの一つの解像度を設定する設定手段と、該設定手段により設定された解像度に基づき、前記変換手段により変換された複数の記録用データを前記記録手段へ送出する送出順序が固定の第１送出順序又は前記送出順序が可変の第２送出順序を決定する決定手段とを備えることを特徴とする。
【００１３】
第２発明による場合は、読取手段が複数の画像を読み取り、取得した複数の画像データを変換手段が順次記録用データに変換し、設定手段が複数種類の解像度のうちの一つの解像度を設定するように構成されており、設定された解像度に基づき、変換手段により変換された記録用データを、記録シートに記録すべく記録手段へ送出する送出順序が固定である第１送出順序又は可変である第２送出順序を決定手段により決定し、決定された送出順序にて、記録手段が前記記録用データに基づく画像を記録シートに記録することにより、記録シートに記録する画像の解像度を変更すべく設定された解像度に基づき、記録手段に送出される画像データの順序を変更することができ、既存の記録装置において、高解像度の画像データを生成する機能を追加した場合であっても、既存の機能に影響を与えることなく、高解像度の画像データに基づく画像を記録することができる。
具体的には、設定された解像度に基づき、所定の順序で画像を印刷するソート印刷処理を実行することができると共に、ソート印刷処理を禁止することもでき、既存のソート印刷機能を変更することなく、高解像度の画像データの記録も実現することができる。
【００１４】
第３発明に係る画像読取記録装置は、第２発明に係る画像読取記録装置において、前記決定手段により第２送出順序が決定された場合、前記変換手段により変換された記録用データを符号化する符号化手段と、該符号化手段により符号化された記録用データを記憶する記憶手段と、該記憶手段に記憶してある記録用データを復号する復号手段とを備えることを特徴とする。
【００１５】
第３発明による場合は、決定手段が第２送出順序に決定した場合に、変換手段により変換された記録用データを符号化手段が符号化し、符号化された記録用データを記憶手段に一旦記憶しておき、また、予め記憶手段に記憶してある記録用データを復号手段が復号することにより、所定の第２送出順序にて記録シートに記録される画像データを符号化して圧縮することができ、記憶手段に記憶しておく記録用データのデータ容量を削減することができる。
【００１６】
【発明の実施の形態】
以下に、本発明に係る画像読取記録装置を、その実施の形態である複合機に基づいて詳述する。図１は本発明に係る複合機の構成を示すブロック図であり、図中１は複合機を示している。
この複合機１は、制御部１０，ＲＯＭ１１，ＲＡＭ１２，読取部（読取手段）１３，第１画像メモリ１４，２値化処理部（変換手段）１５，第２画像メモリ１６，表示部１７，操作部（設定手段）１８，ＮＣＵ（Ｎｅｔｗｏｒｋ  Ｃｏｎｔｒｏｌ  Ｕｎｉｔ）１９，モデム２０，メモリ制御部２１，第１ＣＯＤＥＣ（符号化手段）２２，第２ＣＯＤＥＣ（復号手段）２４，記録部（記録手段）２５等を備えており、夫々はシステムバス２６を介して相互に接続されている。
【００１７】
制御部１０は、具体的にはＣＰＵ（Ｃｅｎｔｒａｌ  Ｐｒｏｃｅｓｓｉｎｇ  Ｕｎｉｔ）  等で構成されており、システムバス２６を介して複合機１の上述したようなハードウェア各部を制御すると共に、ＲＯＭ１１に格納されたコンピュータプログラムに従って、種々のソフトウェア的機能を実現する。
ＲＯＭ１１は、本実施の形態に係る複合機１の動作に必要な種々のコンピュータプログラムを記憶している。
ＲＡＭ１２は、ＳＲＡＭ又はフラッシュメモリ等で構成され、制御部１０による各プログラムの実行時に発生するデータを一時的に記憶する。尚、ＲＡＭ１２にフラッシュメモリを使用した場合には、停電，複合機１の移動等のために電源が遮断された場合であっても、記憶内容が失われることはない。
【００１８】
モデム２０は、ファクシミリ通信が可能なファックスモデムで構成されており、ＮＣＵ１９と直接的にも接続されている。
ＮＣＵ１９は、公衆電話回線網Ｌと接続されており、必要に応じてモデム２０を公衆電話回線網Ｌと接続し、公衆電話回線網Ｌを介して他のファクシミリ装置との間でのファクシミリ通信を可能としている。
【００１９】
表示部１７は、液晶ディスプレイ（ＬＣＤ）等で構成されており、複合機１の動作状況、操作部１８から入力された文字、ユーザに通知すべき情報等を表示する。
操作部１８は、複合機１を操作するために必要な各種のファンクションキー、例えば、ソート印刷機能を実行するためのソート設定キー，記録紙に記録する際の解像度を設定するための解像度キーを備えている。尚、表示部１７をタッチパネル方式のものとすることにより、操作部１８の各種のキーのうちの一部又は全部を代用することも可能である。
【００２０】
読取部１３は、例えば、外部から取得した光を電気信号に変換する撮像素子であるＣＣＤ（Ｃｈａｒｇｅ  Ｃｏｕｐｌｅｄ  Ｄｅｖｉｃｅ）  を利用したスキャナにより、原稿画像からの反射光を取得し、Ｒ成分，Ｇ成分及びＢ成分夫々のデジタル信号に変換し、得られた画像データをＤＲＡＭ等により構成される第１画像メモリ１４に記憶させる。また、読取部１３は、ＡＤＦ方式のスキャナ部を備えており、原稿束を一枚ずつ分離して順次原稿画像からの反射光を取得するように構成されている。
尚、本実施の形態の複合機１では、読取部１３は、上述したように、原稿画像からの反射光を、ＲＧＢ（Ｒ：赤，Ｇ：緑，Ｂ：青）表色系で表現し、各画素データを８ビットの多値データで示した多値のカラー画像データとして取得する。
【００２１】
２値化処理部１５は、第１画像メモリ１４に記憶してあるＲＧＢ表色系の多値の画像データを読み出し、読み出した画像データに対して色変換処理を行いＣＭＹＫ（Ｃ：シアン，Ｍ：マゼンタ，Ｙ：イエロー，Ｋ：ブラック）表色系の画像データ（記録用データ）に変換すると共に、このＣＭＹＫ表色系の画像データに含まれる複数の画素データを夫々、所定の閾値と比較することにより２値データに変換し、得られた２値の画像データを第２画像メモリ１６に記憶させる。
【００２２】
ここで、本実施の形態の２値化処理部１５は、解像度変更部１５ａを備えており、解像度変更部１５ａは、ユーザからの設定により、第１画像メモリ１４から読み出したＲＧＢ表色系の多値の画像データに対して、まず解像度変更部１５ａにより、各画素データの間引き又は各画素データ間への画素データの追加をすることで、設定された解像度の画像データを生成する生成手段として動作する。その後、生成された画像データに対して、上述した色変換処理及び２値化処理を行うことにより、ＣＭＹＫ表色系の２値の画像データに変換し、第２画像メモリ１６に記憶させる。
【００２３】
尚、本実施の形態では、読取部１３は、６００ｄｐｉの解像度により原稿画像を読み取るように構成されており、この解像度変更部１５ａは、読取部１３により取得された画像データから、ユーザの設定により、２４００ｄｐｉの解像度の画像データを生成するように構成されている。
従って、操作部１８に備える解像度キーは、６００ｄｐｉ又は２４００ｄｐｉを選択できるように構成してある。
【００２４】
本実施の形態の複合機１は、複数枚の原稿画像を複数部に複写する場合に、複写対象である原稿画像の読み取り順序にて、取得した画像データに基づく画像を記録紙を記録するソート印刷機能を備えており、ソート印刷機能を実行する場合、第２画像メモリ１６に記憶してある複数枚分の画像データを、第１ＣＯＤＥＣ２２により符号化し、イメージバス２７を介して符号化画像メモリ２３に記憶させておく構成をなしている。
尚、このように符号化しておくことにより、ソート印刷の対象となる画像データのデータ量を削減することができるが、第２画像メモリ１６から、ソート印刷処理における順序にて画像データを順次読み出す構成とすることもできる。
【００２５】
第１ＣＯＤＥＣ２２は、上述したように、第２画像メモリ１６に記憶してある２値の画像データに対して、所定の符号化処理を行い、符号化された画像データは、メモリ制御部２１の制御に従って、イメージバス２７を介して符号化画像メモリ（記憶手段）２３に記憶される。
符号化画像メモリ２３は、本実施の形態の複合機１が、ソート印刷処理を実行する場合に、第２画像メモリ１６に記憶してあるソート印刷処理の対象となる符号化された画像データを一旦記憶しておき、メモリ制御部２１からの指示に従い、所定の順序、例えば、複数の原稿画像を読み取った順序にて、符号化された画像データを第２ＣＯＤＥＣ２４に送出する。
【００２６】
第２ＣＯＤＥＣ２４は、符号化画像メモリ２３から取得した画像データを復号して第２画像メモリ１６に記憶させる。従って、第２画像メモリ１６には、読取部１３により読み取られ、２値化処理部１５により２値化処理を施された画像データと、第２ＣＯＤＥＣ２４により復号された画像データとが記憶されることになる。
第２ＣＯＤＥＣ２４により復号され、第２画像メモリ１６に記憶されている画像データは、ソート印刷処理における順序にて記録部２５に読み出される。
記録部２５は、電子写真方式のプリンタ装置であって、第２画像メモリ１６から取得した画像データを、ハードコピーとしてＡ３縦，Ｂ４縦，Ａ４縦，Ｂ５横及びＡ５横等の各サイズの記録紙又はＯＨＰ（Ｏｖｅｒ  Ｈｅａｄ  Ｐｒｏｊｅｃｔｏｒ）  シートから最適なサイズのものを選択して記録する。
【００２７】
上述したように、符号化画像メモリ２３から、例えば、複写すべき複数の原稿画像を読み取った順序にて画像データを第２ＣＯＤＥＣ２４に送出し、第２ＣＯＤＥＣ２４により復号された画像データを第２画像メモリ１６に記憶させておき、第２画像メモリ１６から順次読み出された画像データに基づく画像を、記録部２５により記録紙に記録することにより、読み取り対象である原稿束における各原稿画像の順序に整列された複写された記録紙の束を生成することができる。
尚、本実施の形態の複合機１は、ソート印刷処理を実行しない場合、第２画像メモリ１６に記憶された画像データを、第２画像メモリ１６に記憶された順序（固定の送出順序）にて順次記録部２５に読み出して記録紙に記録するが、ソート印刷処理を実行する場合、第２画像メモリ１６に記憶された画像データを、一旦符号化して符号化画像メモリ２３に記憶することにより、記録紙に記録する順序（可変の送出順序）を変更することができる。
【００２８】
以下に、上述した構成の複合機１におけるソート印刷機能の実行処理について説明する。図２は本発明に係る複合機１によるソート印刷処理手順を示すフローチャートである。
複合機１は、記録部２５により記録紙に記録する際の画像の解像度を６００ｄｐｉに、ソート印刷処理の実行設定をオフに初期設定し（Ｓ１）、各種の処理の実行待ち状態となっている。
【００２９】
ユーザは、上述した構成の複合機１を用いて複数枚の原稿画像からなる原稿束を複数部複写するために、複合機１に原稿画像を読み取らせる場合、所定の位置に原稿束を載置し、操作部１８に備える解像度キー及びソート設定キーを夫々操作することにより、記録紙に記録する際の解像度及びソート機能の実行の指示を設定し、操作部１８に備えるスタートキーをオンする。
制御部１０は、ユーザにより解像度キーが操作されたか否かを判断しており（Ｓ２）、解像度キーが操作されていないと判断した場合（Ｓ２：ＮＯ）、ユーザによりソート設定キーが操作されたか否かを判断する（Ｓ３）。
【００３０】
ソート設定キーが操作されていないと判断した場合（Ｓ３：ＮＯ）、即ち、記録部２５により解像度が６００ｄｐｉの画像を、ソート印刷せずに記録するように設定されてスタートキーがオンされた場合（Ｓ４）、制御部１０は、読取部１３により原稿画像を読み取り、２値化処理部１５により所定の処理を施し、生成した２値の画像データを第２画像メモリ１６に記憶する（Ｓ５）。
この場合、ソート印刷処理を実行しない設定がされているため、制御部１０は、第２画像メモリ１６から、この第２画像メモリ１６へ記憶された順序にて順次画像データを読み出し、読み出した画像データに基づく画像を、記録部２５により記録紙に記録する（Ｓ６）。
【００３１】
一方、ステップＳ３において、ソート設定キーが操作されていると判断した場合（Ｓ３：ＹＥＳ）、即ち、記録部２５により解像度が６００ｄｐｉの画像を、ソート印刷するように設定されてスタートキーがオンされた場合（Ｓ７）、制御部１０は、読取部１３により原稿画像を読み取り、２値化処理部１５により所定の処理を施し、生成した２値の画像データを第２画像メモリ１６に記憶する（Ｓ８）。
この場合、ソート印刷を実行する設定がされているため、制御部１０は、第２画像メモリ１６から順次画像データを読み出して第１ＣＯＤＥＣ２２に入力し、第１ＣＯＤＥＣ２２により符号化された画像データを、メモリ制御部２１の制御によりイメージバス２７を介して符号化画像メモリ２３に記憶する（Ｓ９）。
【００３２】
また、メモリ制御部２１の制御により、ソート印刷処理に基づく順序、即ち、複写すべく複数の原稿画像を読み取った順序にて、符号化画像メモリ２３から画像データを順次読み出し、第２ＣＯＤＥＣ２４に入力し、第２ＣＯＤＥＣ２４により復号された画像データを、一旦第２画像メモリ１６に記憶し、この第２画像メモリ１６から順次画像データを読み出して、読み出した画像データに基づく画像を、記録部２５により記録紙に記録する（Ｓ１０）。
また、ステップＳ２において、ユーザにより解像度キーが操作されたと判断した場合（Ｓ２：ＹＥＳ）、制御部１０は、ユーザによりソート設定キーが操作されたか否かを判断する（Ｓ１１）。
【００３３】
ソート設定キーが操作されていないと判断した場合（Ｓ１１：ＮＯ）、即ち、記録部２５により解像度が２４００ｄｐｉの画像を、ソート印刷せずに記録するように設定されてスタートキーがオンされた場合（Ｓ４）、制御部１０は、読取部１３により原稿画像を読み取り、２値化処理部１５により所定の処理を施し、生成された２値の画像データを第２画像メモリ１６に記憶する（Ｓ５）。
またこの場合、ソート印刷を実行しない設定がされているため、制御部１０は、第２画像メモリ１６から順次画像データを読み出し、読み出した画像データに基づく画像を、記録部２５により記録紙に記録する（Ｓ６）。
【００３４】
一方、ステップＳ１１において、ソート設定キーが操作されていると判断した場合（Ｓ１１：ＹＥＳ）、即ち、記録部２５により解像度が２４００ｄｐｉの画像を、ソート印刷するように設定された場合、制御部１０は、２４００ｄｐｉの解像度の画像データの印刷においては、ソート印刷が実行できないことを表示部１７に表示し（Ｓ１２）、ステップＳ２の処理に戻り、ユーザからの再度の設定を受け付ける。
【００３５】
上述したように、高解像度の画像を印刷する場合には、ソート印刷機能を禁止することにより、ソート印刷処理の実行の際に、高解像度の画像データを符号化することにより生ずる種々の問題の発生を防止することができる。
また、上述した実施の形態では、ソート印刷処理を行う場合にのみ第１ＣＯＤＥＣ２２により画像データを符号化して符号化画像メモリ２３に記憶しており、解像度が６００ｄｐｉの画像を記録する場合であっても、ソート印刷を行わない場合には、第２画像メモリ１６から記録部２５に記録対象の画像データが入力され、符号化されない構成について説明しているが、６００ｄｐｉの解像度の画像データについては、復号するために必要な時間が少ないため、ソート印刷を行わない場合であっても、符号化して符号化画像メモリ２３に一旦記憶させる構成とすることもできる。
【００３６】
【発明の効果】
第１発明による場合は、画像を読み取り取得した画像データから、複数種類の解像度の画像データを生成し、生成した画像データを記録用データに変換し、変換された記録用データに基づく画像を記録シートに記録することにより、取得した画像データから、異なる複数種類の解像度の画像データを生成することができる。また、取得した画像データの解像度とは異なる解像度の画像データを生成すると共に、生成された画像データを記録用データに変換することができる。
【００３７】
第２発明による場合は、複数の画像を読み取り、取得した複数の画像データを順次記録用データに変換し、設定された解像度に基づき、変換された記録用データを、記録シートに記録すべく記録手段へ送出する送出順序が固定である第１送出順序又は可変である第２送出順序を決定手段により決定し、決定された送出順序にて、前記記録用データに基づく画像を記録シートに記録することにより、記録シートに記録する画像の解像度を変更すべく設定された解像度に基づき、記録手段に送出される画像データの順序を変更することができ、既存の記録装置において、高解像度の画像データを生成する機能を追加した場合であっても、既存の機能に影響を与えることなく、高解像度の画像データに基づく画像を記録することができる。
具体的には、設定された解像度に基づき、所定の順序で画像を印刷するソート印刷処理を実行することができると共に、ソート印刷処理を禁止することもでき、既存のソート印刷機能を変更することなく、高解像度の画像データの記録も実現することができる。
【００３８】
第３発明による場合は、第２送出順序に決定した場合に、記録用データを符号化し、符号化された記録用データを一旦記憶しておき、また、予め記憶してある記録用データを復号することにより、所定の第２送出順序にて記録シートに記録される画像データを符号化して圧縮することができ、記録用データのデータ容量を削減することができる。
【図面の簡単な説明】
【図１】本発明に係る複合機の構成を示すブロック図である。
【図２】本発明に係る複合機によるソート印刷処理手順を示すフローチャートである。
【符号の説明】
１  複合機（画像読取記録装置）
１３  読取部（読取手段）
１５  ２値化処理部（変換手段）
１５ａ  解像度変更部（生成手段）
１８  操作部（設定手段）
２２  第１ＣＯＤＥＣ（符号化手段）
２３  符号化画像メモリ（記憶手段）
２４  第２ＣＯＤＥＣ（復号手段）
２５  記録部（記録手段）
【図１】
2004158998.tif 000003
【図２】
2004158998.tif 000004